(57)【要約】      （修正有）【課題】予約者の現場到着や退出確認が十分でき、きめ細かい時間貸しができるシステムを提供する。【解決手段】時間貸ししたい駐車スペースに、それを特定できるロゴマークと２次元コードを描いた標識を設けるとともに、空きスペースの時間貸しを管理運営する事業体に、利用予約可能な時間帯、予約中、駐車中の情報を記憶する装置を置くとともに、専用アプリでの予約受付と、予約者が当該駐車スペースに到着あるいは退出した際に、スマホ等で撮影した前記識別標識を受信し、前記事業体との交信により、予約者の駐車状況を確認する。【選択図】図５
2017130029.tif 000002
【特許請求の範囲】
【請求項１】
時間貸しする空きスペースを提供する提供者と、空きスペースの時間貸しを管理運営する時間貸し事業体と、同事業体に利用可能な駐車スペースの位置情報、利用条件および利用状況を登録、更新できるデータベースと、利用者からアクセスでき、かつ時間貸し事業体のデータベースと交信できる利用者アプリと、時間貸し空きスペースを利用する登録利用者から構成されるシステムであって、提供者が提供する空きスペースには少なくともそれを特定できる識別標識を設け、利用者アプリは前記時間貸し事業体のデータベースから情報を得て、空きスペースの状態を検索できるように表示するとともに、利用者からの利用予約を受け付け、前記貸し出し事業体のデータベースの当該空きスペースの利用状態を変更し、利用者の現地へのナビゲーションや、現地到着時と退出を確認できる手段を有し、当該空きスペースをその状態変化に応じて予約なし、予約中、駐車中に更新し、さらに利用料金の表示、電子的精算、必要に応じて到着・退出の確認を催促する通知サービス機能を有し、貸し出し事業体と空きスペースの提供者および空きスペースの利用者の間では提供および利用に関する契約を行うことによって利用できることを特徴とする空きスペースの時間貸しシステム
【請求項２】
請求項１の空きスペース時間貸しシステムにおいて、現場に設置する貸しスペースを特定できる識別標識は、当該時間貸し事業体の特長を顕示するロゴマークと、その空きスペースの情報として、少なくとも登録した空きスペースの名称、車室番号など車室を特定する情報、提供者情報とを記載した２次元コードと、管理番号（車室番号）と、利用上の注意書きを記載することを特長とする空きスペースの時間貸しシステム
【請求項３】
請求項１の空きスペース時間貸しシステムにおいて、利用者が予約した空きスペースに到着したことや退出したことを確認する方法として、空きスペースの現場に設置した識別標識に描かれた２次元コードを撮影し、必要に応じて利用者ＩＤ，パスワードとともにそれらの情報を利用者アプリを通じて、時間貸し事業体に送信し、２次元コードとして記録されている空きスペースの情報と当該事業体のデータベース内の予約情報とを照合することを特長とした空きスペース時間貸しシステム
【請求項４】
請求項１の空きスペース時間貸しシステムにおいて、利用者が予約した空きスペースへの駐車開始予定時間が過ぎた時、あるいは予定駐車時間が過ぎた時に、自動的に一定時間ごとにそれを警告するメールを、空きスペース利用者のスマホなどの通信端末に送信する通知サービス機能を有する空きスペースの時間貸しシステム
【請求項５】
請求項１の空きスペース時間貸しシステムにおいて、前記利用者用アプリ上の時間貸し駐車スペースを検索する方法として、時間貸し事業体のデータベースに記憶されている空きスペースの状態を用い、少なくとも、予約なし、予約中と予定駐車時間帯、および駐車中及びその予定駐車時間帯の情報を表示することを特長とした空きスペースの時間貸しシステム
【発明の詳細な説明】
【技術分野】
【０００１】
本発明は、空き地、月極め駐車場、個人や法人の駐車場などの空き駐車スペースを、時間貸しする駐車場システムに関する。
【背景技術】
【０００２】
遊休の空き地の駐車場化が進んでいるとはいえ、商店街や、駅近くの繁華街では、慢性的に駐車場不足に陥っている。しかし、自家用車や月極めの駐車場では、一日中駐車していることは少なく、空いている時間が少なくない。また、設備を設置して駐車場にするには小さすぎる空き地も点在している。
【０００３】
そこで、これらの空きスペースを登録して、半日単位で貸し出す仕組みが開発された（特許文献１）。この仕組みは、自分が使用しない時間帯を、空きスペースを貸し出す事業体（以後、貸し出し事業体と略す）に登録し、貸し出し事業体は、ウエブ上でそれらの駐車スペースの予約貸し出しを半日単位で行うものである。
【０００４】
空きスペースを提供する個人や法人は、貸し出し事業体と、空きスペースの利用と費用について契約を交わす。この仕組みは、駐車場の空きスペースには、いっさいの機械設備を置かず、すべてをインターネット回線上の貸し出しシステムを使って、予約、貸し出し、駐車料金の決済を行うものである（特許文献１，４）。
【０００５】
このような空きスペースを貸し出す重要な仕組みの中に、アプリによる検索サイトの利用がある。利用希望者は、アプリ上で、これらの空きスペースを検索する。このような検索サイトでは、空きスペースの写真、特徴、周辺状況、地図、サイトへのナビなどの情報を見せることもできる便利なものがある。
【０００６】
空きスペースの利用方法としては、登録者がスマホ上のアプリから貸し出し事業体に空きスペースの予約申し込みをすると、カーナビで現地までのルートを案内する。そして、現地に到着したら、車番の写った画像を事業体にアプリで伝送する仕組みが考えられている。退出時には、やはり車番の写った画像を事業体に伝送し、退出したことをアプリで事業体に連絡する（特許文献３）。
【先行技術文献】
【特許文献】
【０００７】
【特許文献１】特開２０１４−５６５５８
【特許文献２】特開２０１３−７３３２５
【特許文献３】特開２０１３−２１４２６５
【特許文献４】特開２００７−１６４５５４
【発明の概要】
【発明が解決しようとする課題】
【０００８】
上記した特許文献には、特許文献３を除けば利用者が現地に到着したことを確認する手段の記述がない。予約現場への到着や退出を確認できなければ、きめ細かい時間貸しはできないし、誤った空きスペースに到着していても、それに気づかないといったケースが起こりうる。唯一到着手段を記述している特許文献３では、到着現場で自車の車番を撮影し、それを貸し出し事業体に送信する方法が開示されている。
【０００９】
しかし、この方法は、利用者が利用者登録をする際に、あらかじめ自車の車番を登録する必要があり、利用の際、現地到着の時に自車の車番を撮影した画像を事業体に送ることによって、利用者が現場に到着したことを確認するとなっている。しかし、車番の写っている画像から利用者を特定するには、車番認識装置が必要であるうえ、利用者の送った写真では正確に車番認識ができない場合も起こりうる。さらに、車番を送るだけでは、予約した空きスペースに到着したのかどうかを確認することはできないといった欠点がある。
【００１０】
すなわち、利用者が予約した空きスペースに実際に駐車したかどうかをチェックするこの方法は、コストがかかる上、不確実であり、利用者を特定できないというリスクもあった。さらに登録した利用者がいつでも同じ車を使うとは限らないといった問題もあった。また、空きスペースの時々刻々の利用状況を把握して、検索サイトで満車や空車情報を反映するといった方法は考えられていなかった。すなわち、空きスペースを時間貸しするシステムは、未完成であったといえる。
【００１１】
本発明では、機械設備を持たない駐車場の空きスペースを時間貸しすることができ、間違いのない駐車が行われたかどうかを確認でき、検索サイトにも、予約状況や満空情報を発信できる簡単なシステムを提供しようとするものである。
【課題を解決するための手段】
【００１２】
本発明は、空きスペースを時間貸しする駐車場の現場に、予約貸し出しができる駐車場であることを表示した標識を設けることにした。利用者は、専用のスマホ用アプリ上で個人認識ＩＤとパスワードを入力して空きスペースを予約した後、ナビ等も利用して現地に到着する。現場では、必要に応じて再びアプリ上で個人認識ＩＤとパスワードを入力し、次いで上記標識の情報と到着したことを送信する。アプリは、その情報を時間貸し事業体のサーバーに送信する。貸し出し事業体は受け取った情報をデータベース上の予約情報と照合する。これにより、貸し出し事業体は、予約者が予約駐車スペースに駐車したことを確認し、合わせて駐車開始の時刻を記憶する。
【００１３】
利用者が、当該駐車スペースから退去するときにも、専用のスマホ用アプリ上で必要に応じて個人認識ＩＤとパスワードを入力し、出庫したことを貸し出し事業体のデータ処理システムに伝送する。このような方法で、駐車時間が確定し、料金の自動精算と利用者への課金が行われる。（請求項１）
【００１４】
本発明の空きスペースの時間貸しシステムでは、一般の駐車場と違って、一見時間貸し駐車場とはわからない空きスペースを対象とするので、利用者にその場所を容易に認識できるようにする必要がある。本発明では、空きスペースに設ける標識に、時間貸し事業体が一目でわかるロゴマークと、少なくともその下にその空きスペースを特定する２次元コード、あるいは管理番号などを記載した統一した標識を使うこととした。（請求項２）
【００１５】
一般の駐車場では、車室への入庫や出庫はループセンサなどによって電子的に検知されるが、空きスペースの時間貸しシステムでは一切の機械設備を置かないのを特徴とするので、利用者が予約した空きスペースの現場へ到着したことを確認する方法が重要になる。すなわち、電気的なセンサーの代わりになる空きスペース到着情報が必要になる。本発明では、利用者がスマホ上で、現場の標識に記載した空きスペースの名称、車室を特定できる情報、管理番号などを表す２次元コードを撮影し、また必要に応じて利用者の登録ＩＤおよびパスワードを入力し、到着あるいは退出したことを、アプリを使って貸し出し事業体に送信することにした。後述するように、２次元コードの代わりに管理番号を入力する方法でもよいが、２次元コードを撮影して送信する方法は、多くのデータを簡単に間違いなく送ることが出来る利点がある。もし間違った場所に駐車しようとした場合には、利用者が予約した空きスペースの情報と、利用者から送られてきた現場の２次元コードから得られた現場の情報とが不一致になるので、貸し出し事業体は、利用者に予約した空きスペースではないという警告を折り返し通信サービスなどを使って知らせることができる。（請求項３）
【００１６】
本発明では、予約利用者が、駐車予定時間になっても、当該駐車スペースの２次元コードを撮影して到着したことを、貸し出し事業体に送信をしなかった場合には、予約時の駐車開始時刻を駐車開始時刻として自動的に設定するとともに、一定時間ごとに予約利用者に駐車開始予定時間が過ぎたことを通知サービスなど使って送信し警告する。もし、３０分程度の遅れで現場に到着し、前記の方法で現場への到着を貸し出し事業体に到着情報を送信した場合には、その時間を駐車開始時間として再設定することも可能とする。
【００１７】
また、駐車場を退出する際に、駐車終了時刻になっても、利用者からの退出情報の送信がない場合は、やはり駐車場出庫予定時間に通知サービスをアプリに送信し、駐車予定時間を過ぎたことを送信する。この警告は、一定時間ごとに利用者に送信されるようにしてもよい。このようにして、利用者が予約時間帯を超えて駐車することを防止するとともに、予約者が実際の駐車を、貸し出し事業体に報告する手段を確保した。（請求項４）
【００１８】
駐車場の貸し出しスペースを認識する２次元コードの撮影、送信の代わりに、当該駐車スペースに当該スペースの管理番号を標識に表示し、専用のアプリでその識別番号を入力、駐車したことを利用者ＩＤとともに貸し出し事業体のデータベースに送信する方法でも、このシステムは運営できる。
【００１９】
本空きスペース時間貸しシステムは、貸し出し事業体が管理する空きスペースの予約なし、予約中（予約時間帯も表示）、駐車中（駐車時間帯）の情報を専用アプリの検索サイトに提供するようにした。したがって、利用希望者は、検索アプリ上で、予約なしの場合や、予約中や駐車中であっても、その時間帯を避けた時間帯の予約ができるようにした。
（請求項５）
【発明の効果】
【００２０】
本発明によれば、小さな空き地、個人駐車場、月極め駐車場の空きスペースなどを、時間貸しできるので、半日単位で貸し出ししていた従来のシステムに比べて、当該スペースを提供する個人又は法人にとっては、より多くの経済的効果があるし、利用者にとっても、通常の駐車場が満車の場合でも、使用していない駐車場の空きスペースなどに駐車できるので、駐車場不足の解消に寄与できる。
【００２１】
本発明は、駐車スペースの利用が予約制となっているので、現地で、駐車場を探す苦労もないし、カーナビと連動して駐車場までの経路案内も可能になる効果がある。
また、設備を設置する駐車場としては適さない小さな空き地でも、駐車スペースとして活用できるので、土地の所有者にとっては、固定資産の有効活用になる経済的効果がある。
【図面の簡単な説明】
【００２２】
【図１】本発明の空きスペース時間貸しシステムを示す図
【図２】本発明の利用者アプリの機能を示す図
【図３】本発明の時間貸し空きスペースに設置する標識（例）を示す図
【図４】本発明の時間貸し空きスペースの標識の内容を示す図
【図５】本発明で、利用者が時間貸し空きスペースを利用するプロセスを説明する図
【発明を実施するための形態】
【実施例１】
【００２３】
図１は、本発明の空きスペースの時間貸しシステムの構成を示す。本システムは、個人または法人が空きスペースを提供する提供者端末と、時間貸しシステム全体を運営する時間貸し事業体のサーバーおよびデータベースと、空きスペースの利用の窓口となる専用検索アプリと、利用者が本発明のシステムを利用するための登録システムより構成される。
【００２４】
空きスペースを提供する提供者端末は、インターネット回線により、空きスペースに関するデータ（所在位置、スペースの物理的な情報、貸し出し時間帯、周辺状況など）や、提供者の個人または法人に関する情報（住所氏名、電話、マイナンバー、メール、取引振込口座、クレジットカード情報など）を、時間貸し事業体に提供し、同事業体からは、空きスペースの時間貸しに関する条件を受信でき、これらの情報によって両者間で契約を交わすための端末である。また、契約完了後、随時本システムによる空きスペースの提供可能時間帯情報を送信でき、空きスペース時間時間貸し事業体からは、利用状況、駐車料金収入、経費、利用歴などの情報を、いつでも入手できる機能なども有する。
【００２５】
時間貸しシステム全体を運営する時間貸し事業体は、サーバーとデータベースを有し、その端末を経由して空きスペース提供者との契約を行うほか、空きスペース提供者から利用できる時間帯をあらかじめ受信・記憶し、また、後述する利用者アプリからの予約や、現場への到着、退出情報より、常時当該空きスペースが予約なしか、予約中か、駐車中かの現状を判定し、予約可能な空きスペースの情報を、利用者アプリの検索サイトに提供する。また、利用者アプリから送られてくる現場への到着、退出情報をもとに、利用者の駐車開始と退出時刻から駐車時間を計算し、同アプリを通じて利用者に駐車料金の通知や、課金の通知を行う。
【００２６】
利用者アプリは、空きスペースの時間貸し事業体のサーバーとの間で、情報の交換を行うとともに、空きスペースの検索サイトとして、各空きスペースの予約なし、予約中、駐車中の情報と、各空きスペースに関する情報を提供する。利用者は、この利用者アプリにインターネット回線を通じてアクセスし、これらの情報をもとに、利用したい空きスペースの選択と予約を行う。
【００２７】
また、利用者が予約した空きスペースに到着したときや退出するときには、後述するような現場の空きスペースに設置した標識上の２次元コードや管理番号（車室番号）の入力を受けて、それらを時間貸し事業体のサーバーに転送する。時間貸し事業体は、それを予約情報と照合したり、駐車時間や駐車料金などを計算したりして、それらの結果を利用者アプリに送信する。同アプリは、それをスマホ画面に表示して、利用者が確認できるようにしている。
【００２８】
利用者は、あらかじめ空きスペースの時間貸し事業体との間で、利用者登録（氏名、住所、生年月日、電話番号、メールアドレス、マイナンバー、振替銀行口座、クレジットカードなど）を行い、利用者ＩＤの交付を受け、ログインのパスワードを登録する。利用者は利用者ＩＤを使って空きスペースの予約や、到着、退出の報告を行う。
【００２９】
利用者が、駐車希望地域内にある空きスペースでの駐車を予約する場合には、利用者アプリから予約なし、または予約中や駐車中でも駐車時間帯を外した時間帯がある空きスペースを検索し、希望駐車開始時刻と、駐車予定時間を登録する。
【００３０】
図２は、利用者アプリの機能をまとめたものである。まず本利用者アプリは、空きスペースの時間貸し事業体、および利用者の双方とインターネットを使って通信ができる機能を持つ。この通信機能により、利用者アプリは時間貸し事業体のサーバーにアクセスし、空きスペース提供者からの空きスペースに関するデータや、時間貸しとして利用できる空きスペースを取得し、利用者に利用できる空きスペースの情報を、検索できる形で提供する機能がある。これらの情報には、空きスペースの場所や大きさ、その特徴、周辺状況、料金などの基本データのほか、時間貸しの空きスペースが、予約なしか、予約中か、駐車中かの時々刻々変化する情報を含んでいる。
【００３１】
さらに、利用者から、利用者アプリ上で利用者ＩＤとパスワードの連絡を受けて、その登録者情報を時間貸し事業体のサーバーに照会し、利用者登録者であるとの情報を受信した後、本アプリで検索した空きスペースへの駐車の予約を受け付け、それを前記サーバーに送信する機能、予約確定情報をアプリの利用者に通知サービスなどで利用者に連絡する機能、利用者が現地に到着した時や退出する際に送られてくる予約駐車場への到着や退出情報と、現地に設置した標識に記載されている２次元コードの画像、あるいは、現地の標識に記載されている管理番号を受信し、これらの情報を貸し出し事業体のサーバーへ送る。貸し出し事業体は、本システムのプログラムによって、それをデータベースの予約情報と照合することにより、予約駐車場への到着であることを確認できる機能、その他として予約の変更、解約を受ける機能、それらを事業体に送信する機能、退出後、駐車料金や、これまでの利用履歴などを利用者からの要求によって利用者に通知サービスメールで通知する機能を有している、
【００３２】
図３は、空きスペースを時間貸しする車室付近に設置する標識の例を示すものある。標識は、それがこの時間貸し事業体の運営する空きスペースであることを一目見て分かるようなロゴマークとともに、その空きスペースを特定できる２次元コードや管理番号が表示されている。また、その空きスペースを利用するにあたっての利用法、諸注意なども、記載しておくことが望ましい。これらのロゴマークや２次元コードや管理番号（車室番号）、注意書きなどを記載した標識は、契約成立後時間貸し事業体から、空きスペースを提供する提供者に支給され、その提供者が時間貸しする時間帯に現場にその都度あるいは常時設置するか、あるは該事業体が直接設置するものである。
【００３３】
図４は、現場の標識に２次元コードとして記載される情報の内容の例を示す。まず、現場の名称と管理番号（車室番号）など駐車する車室（スペース）を特定できる情報、提供者の電話番号や、メールアドレスなどの情報が含まれる。このうち、提供者の個人情報は、暗号化されたものであることが望ましい。
【００３４】
現場の標識には、管理番号（車室番号）も直接記載することが望ましい。この管理番号（車室番号）は、利用者アプリ上で、２次元コードを撮影送信するのに代えて、その番号を入力し送信することによっても、利用者が間違いなく予約現場に到着したり、退出したりすることを確認することもできるようにした。
【００３５】
図５は、本システムによって、空きスペースを利用するプロセスを説明する図である。空きスペースを利用する利用者は、ステップＳ１で本システム専用の利用者アプリにスマホ、タブレット、パソコンなどからインターネットを通してアクセスする。利用者アプリでは、登録空きスペースの検索が可能であり、駐車希望地を地図上あるいは住所、電話番号などで指定することによって、近辺の空きスペースの位置や利用料金、空き時間帯、予約中や駐車中などの情報を知ることが出来る。合わせて、周辺の各種情報や、クーポンの有無などのサービス情報も得られるようにしておくこともできる。利用する空きスペースを決めることが出来たなら、次のステップＳ２に進む。
【００３６】
ステップＳ２は、予約を実行するステップで、利用登録をしている場合はアプリを起動すれことによって、空きスペースの検索が可能となり、利用したい空きスペースが見つかった場合には、必要に応じて利用者の登録ＩＤとパスワードを利用者アプリ上で入力後、予約する空きスペースと、駐車開始時刻、駐車予定時間を入力し送信する。利用者アプリは、時間貸し事業体のサーバーにアクセスし、利用者から受信した利用者情報と予約内容を転送する。予約情報は、時間貸し事業体のデータベースに記憶される。
【００３７】
ステップＳ３では、利用者アプリは、同事業体からの予約受付確認の情報を受けた後、利用者に予約成立の回答を利用者に通知する。その方法としては、利用者アプリ上で直接利用者が確認できるようにしてもよく、別途、利用者のメールアドレスに通知サービスとして送信するようにしてもよい。
【００３８】
ステップＳ４では、利用者が予約成立の情報を確認し、ＯＫであれば利用者はそのまま現地まで車を走らせればよい。もし、間違いや変更があれば、ステップＳ２に戻って、予約をやり直す。
【００３９】
ステップＳ５では、時間貸し事業体が、データベース上の当該空きスペースを予約なしから、予約中に書き替え、予定駐車時間帯を記憶する。このデータは、当該空きスペースの情報として、利用者アプリにおける検索条件として利用される。
【００４０】
ステップＳ６は、予約変更や取り消しのステップである。この場合は、利用者は  利用者アプリにおいて、必要に応じて利用者ＩＤとパスワードを入力することにより、一旦予約内容の表示を見た後、予約変更に移って、駐車予定時間の変更や場所の変更を入力し、送信する。利用者アプリは、時間貸し事業体のサーバーにアクセスし、本システムのプログラムにより変更後の予約の確認と記憶を行った結果を受信して、利用者に予約変更の受理を通知する。利用者は、予約の変更を確認したら、そのままにしておいてよい。一定時間後には検索サイトへ提供する空きスペースの利用可能情報も変更される。変更が間違っていたら、ステップＳ６の最初に戻って予約変更をやり直すことが出来る。
【００４１】
ステップＳ７は、本発明の重要なプロセスである。予約者が現地に到着したら利用者アプリを起動し、必要に応じて利用者ＩＤとパスワードを入力すると、予約した情報がスマホなどに表示される。同時に画面に指示にしたがって、到着連絡と現地の空きスペースにある標識の2次元コードをスマホで撮影し送信する。あるいは、管理番号を入力し送信する。この際、現場のＧＰＳ情報をアプリが自動的に追加して送信することもできる。
【００４２】
ステップ８では、この送信データから、利用者アプリ、またはこの情報の転送を受けた事業体のサーバー内のプログラムが、到着した空きスペースを認識し、時間貸し事業体の予約駐車場の情報と照合する。そして、両者が一致すれば、利用者が予約空きスペースに間違いなく到着したとして、その時刻を駐車開始時刻として確定するとともに、利用者に予約した正しい空きスペースに到着したことを通知サービスなどで通知する。
【００４３】
もし、間違っていれば、利用者に場所の間違いを表示し、正しい予約場所に向かうよう必要な指示を行う。もし、その場所が、予約中でなければ、ステップＳ６に戻って、その場で予約を切り替え、先の予約を取り消すこともができる。このような変更においては、時間貸し事業体は、一定の予約直前変更料金を利用者に課すこともできる。
【００４４】
ステップ９は、利用者が、利用した空きスペースでの駐車を終わって退出する際のプロセスで、利用者は利用者アプリ上で、必要に応じて利用者ＩＤとパスワードを入力後、スマホ上に表示される選択肢の出庫のボタンを押すなどして、駐車を終了したことを連絡する。
【００４５】
ステップ１０では、この受信した情報をもって利用者アプリは駐車終了と判断し、利用者アプリは時間貸し事業体のサーバーにアクセスし、出庫情報を伝える。その情報の受信をもって、時間貸し事業体のサーバーは当該利用者の駐車時間と駐車料金を算出し、利用者アプリに送信するので、利用者はそれらの情報を確認できる。同時に利用者の指定口座から時間貸し事業体の口座に駐車料金の振り込みが行われる。
【００４６】
本発明では、以上説明したように、予約した空きスペースに到着したことと、出庫することを、利用者アプリを通じて、時間貸し事業体に連絡することが基本であるが、到着時に利用者が、到着連絡を忘れることも想定される。このような事態に対処するためには、時間貸し事業体のサーバーから、予約者に対して、予約駐車開始時間が経過したら、到着情報を連絡するように、通知サービスメールを通じて利用者に警告することもできる。
【００４７】
もし、それでも到着時に到着情報の送信をしなかった場合には、退出時に２次元コードの撮影と送信が要求される。この場合実際の駐車開始時刻は、予約した駐車開始時刻として駐車時間の計算が行われる。
【００４８】
利用者アプリでは、利用者の要求に応じて、これまでの利用履歴や料金の積算値や、月毎の利用料金を見ることもできるようにすることもできる。
【産業上の利用可能性】
【００４９】
本発明は、駐車場不足の中、使われていない時間帯などがある月極めや自家用車の駐車場の空きスペースを、時間貸しできるシステムを提供できるので、利用者にとって利便性が高く、空きスペースの提供者にとっても収入を得ることが出来るし、駐車場不足の解消にも貢献するなど実用性は高く、産業上でも大いに貢献するものでる。
【符号の説明】
【００５０】
１  空きスペースの現場標識      ２  時間貸し事業体  のロゴマーク    
３  現場を特定する2次元コードの例  ４  現場の管理番号
５  利用上に注意書き
【図１】
2017130029.tif 000003
【図２】
2017130029.tif 000004
【図３】
2017130029.tif 000005
【図４】
2017130029.tif 000006
【図５】
2017130029.tif 000007